(57)【要約】  本発明は、バッテリーパック及びこの製造方法に係り、更に詳しくは、放電時にバッテリーパックから発せられる熱が低減されるように保護素子アセンブリーに放熱部材を取り付けたバッテリーパック及びこの製造方法に関する。
2019537830.tif 000002
【特許請求の範囲】
【請求項１】
バッテリーパックにおいて、
バッテリーセルと、
内部に前記バッテリーセルを搭載し、上端に保護素子アセンブリー収容部を有するバッテリーセルケースと、
前記バッテリーセルケースの正極リード部又は負極リード部と連結されて保護素子アセンブリー収容部に搭載される保護素子アセンブリーと、
を備えてなり、
前記保護素子アセンブリーは、
両側に接合のための金属薄板が形成された高温遮断素子と、
前記バッテリーセルケースの正極リード部又は負極リード部と接合される第１の接合部、前記高温遮断素子の一方の側と接合される第２の接合部及び高温遮断素子の他方の側と接合される第３の接合部を有する板状の伝導性連結部材と、
前記伝導性連結部材の第１の接合部、第２の接合部及び第３の接合部の上端の表面に形成される放熱部材と、
を備えてなることを特徴とするバッテリーパック。
【請求項２】
前記バッテリーセルケースは、前記保護素子アセンブリー収容部と重なり合わない領域にバッテリーセルが収容されるバッテリーセル収容領域を有することを特徴とする請求項１に記載のバッテリーパック。
【請求項３】
前記伝導性連結部材は、前記バッテリーセルケースの負極リード部又は正極リード部との段差を減らすために曲設された段付き部を備えてなることを特徴とする請求項１に記載のバッテリーパック。
【請求項４】
前記放熱部材は、ペースト状に塗布されるか、あるいは、テープ状に貼着されることを特徴とする請求項１に記載のバッテリーパック。
【請求項５】
バッテリーパックを製造する方法において、
バッテリーセルケースの内側にバッテリーセルを搭載して、バッテリーセルアセンブリーを生成するバッテリーセルアセンブリー生成ステップと、
高温遮断素子を備える保護素子アセンブリーを前記バッテリーセルケースの正極リード部又は負極リード部に電気的に連結するリード部連結ステップと、
前記リード部連結ステップにおける正極リード部又は負極リード部と保護素子アセンブリーとが連結された個所に放熱部材を取り付ける放熱部材取付けステップと、
を含んでなることを特徴とするバッテリーパックの製造方法。
【請求項６】
前記バッテリーセルアセンブリー生成ステップは、
バッテリーセルケースのバッテリーセル収容部に搭載されたバッテリーセルのタブと、バッテリーセルケースのケースリード部とを電気的に結合するバッテリーセル結合ステップを更に含んでなることを特徴とする請求項５に記載のバッテリーパックの製造方法。
【請求項７】
前記リード部連結ステップ前に、前記高温遮断素子を前記保護素子アセンブリーに接合する高温遮断素子接合ステップを含んでなることを特徴とする請求項５に記載のバッテリーパックの製造方法。
【請求項８】
前記放熱部材取付けステップ前に、バッテリーセルケースの保護素子アセンブリー収容部に前記保護素子アセンブリーを搭載する保護素子アセンブリー搭載ステップを更に含んでなることを特徴とする請求項５に記載のバッテリーパックの製造方法。
【請求項９】
前記放熱部材取付けステップにおいては、
前記保護素子アセンブリーと高温遮断素子とが接合された個所に放熱部材を更に取り付けることを特徴とする請求項５に記載のバッテリーパックの製造方法。
【請求項１０】
前記放熱部材取付けステップ後に、バッテリーセルケースの負極端子又は正極端子と前記保護素子アセンブリーの連結部材との間の高さ差が減るように連結部材を折り曲げる連結部材折曲げステップを更に含んでなることを特徴とする請求項５に記載のバッテリーパックの製造方法。
【発明の詳細な説明】
【技術分野】
【０００１】
本発明は、バッテリーパック及びこの製造方法に係り、更に詳しくは、放電時にバッテリーパックから発せられる熱が低減されるように保護素子アセンブリーに放熱部材を取り付けたバッテリーパック及びこの製造方法に関する。
【背景技術】
【０００２】
通常のバッテリーパックは、リチウム系二次電池であって、電池ケースの形状に応じて、円筒型、角型、パウチ型に分類される。
【０００３】
中でも、パウチ型リチウム二次電池（以下、バッテリーパック）は、柔軟性を有してその形状が比較的に自由であり、軽量である他、安全性にも優れていることから、携帯電話、ビデオ付きカメラ、ノート型パソコンなどの携帯用電子機器の電源としての需要が高まりつつある。
【０００４】
一方、前記バッテリーパックには、各種の可燃性物質が内蔵されていて、過充電、過電流、その他の物理的な外部衝撃などにより発熱、爆発などのリスクがあるため、安全性に大きな欠点を有している。
【０００５】
したがって、前記バッテリーパックには、電圧、電流、温度などの値を検出し続け、検出された値に基づいて判断されたバッテリーパックの非正常的な状態を有効に制御可能な保護回路モジュール（Ｐｒｏｔｅｃｔｉｏｎ  Ｃｉｒｃｕｉｔ  Ｍｏｄｕｌｅ：ＰＣＭ）とヒューズ性ＰＴＣ（Ｐｏｓｉｔｉｖｅ  Ｔｅｍｐｅｒａｔｕｒｅ  Ｃｏｅｆｆｉｃｉｅｎｔ）素子及びＴＣＯ（Ｔｈｅｒｍａｌ  Ｃｕｔ−ｏｕｔ）などの安全素子が組み込まれている。
【０００６】
一般に、ＴＣＯは、ＰＣＭに連結されてバッテリーの過熱時に適正な温度が感知されれば、ＰＣＭに信号を送出してバッテリーの保護回路を駆動することにより、バッテリーの過熱による安全事故を防ぐようになっている。
【０００７】
このようなＴＣＯは、両側の端子部に薄肉の一対の導電薄板（薄板状のニッケル材質の金属プレート）が溶接加工により接続される構成に形成されてバッテリーセルに搭載される。
【０００８】
従来のバッテリーパックには、ＴＣＯアセンブリーを搭載するＴＣＯアセンブリー収容部が形成されており、ＴＣＯアセンブリーは、バッテリーセルの正極又は負極に連結される。
【０００９】
このようなバッテリーセルの正極又は負極は曲げられて、ＴＣＯアセンブリーがＴＣＯアセンブリー収容部に搭載できるようにする。
【００１０】
また、前記ＴＣＯアセンブリー収容部は、内部に電気絶縁性を帯びる素材が塗布されたり結合されたりして、バッテリーセルケースとＴＣＯアセンブリーとの間に絶縁状態を形成し、外部の衝撃からＴＣＯアセンブリーを保護できるようにしている。
【００１１】
しかしながら、このようなバッテリーパックは、放電時にＴＣＯアセンブリーによるさらなる発熱が起こり、これにより、バッテリーパックの性能が低下してしまうという不具合が生じていた。
【００１２】
したがって、放電時にＴＣＯアセンブリーによる発熱を低下させる技術の開発が望まれる。
【先行技術文献】
【特許文献】
【００１３】
【特許文献１】大韓民国公開特許公報第２０１６−０１３８８０９号
【発明の概要】
【発明が解決しようとする課題】
【００１４】
本発明は、ＴＣＯアセンブリーによる温度の昇温を低下させるバッテリーパック及びこの製造方法を提供する。
【課題を解決するための手段】
【００１５】
本発明の実施形態に係るバッテリーパックは、バッテリーセルと、内部に前記バッテリーセルを搭載し、上端に保護素子アセンブリー収容部を有するバッテリーセルケースと、前記バッテリーセルケースの正極リード部又は負極リード部と連結されて保護素子アセンブリー収容部に搭載される保護素子アセンブリーと、を備えてなり、前記保護素子アセンブリーには、両側に接合のための金属薄板が形成された高温遮断素子と、前記バッテリーセルケースの正極リード部又は負極リード部と接合される第１の接合部、前記高温遮断素子の一方の側と接合される第２の接合部及び高温遮断素子の他方の側と接合される第３の接合部を有する板状の伝導性連結部材と、前記連結部材の第１の接合部、第２の接合部及び第３の接合部の上端の表面に形成される放熱部材と、を取り付ける。
【００１６】
前記バッテリーセルケースは、前記保護素子アセンブリー収容部と重なり合わない領域にバッテリーセルが収容されるバッテリーセル収容領域を有する。
【００１７】
前記連結部材は、前記バッテリーセルケースの負極リード部又は正極リード部との段差を減らすために曲設された段付き部を備えてなる。
【００１８】
前記放熱部材は、ペースト状に塗布されるか、あるいは、テープ状に貼着される。
【００１９】
本発明の実施形態に係るバッテリーパックの製造方法は、バッテリーセルケースの内側にバッテリーセルを搭載して、バッテリーセルアセンブリーを生成するバッテリーセルアセンブリー生成ステップと、高温遮断素子を備える保護素子アセンブリーを前記バッテリーセルケースの正極リード部又は負極リード部に電気的に連結するリード部連結ステップと、前記リード部連結ステップにおける正極リード部又は負極リード部と保護素子アセンブリーとが連結された個所に放熱部材を取り付ける放熱部材取付けステップと、を含んでなる。
【００２０】
前記バッテリーセルアセンブリー生成ステップは、バッテリーセルケースのバッテリーセル収容部に搭載されたバッテリーセルのタブと、バッテリーセルケースのケースリード部とを電気的に結合するバッテリーセル結合ステップを更に含んでなる。
【００２１】
前記バッテリーパックの製造方法は、前記リード部連結ステップ前に、前記高温遮断素子を前記保護素子アセンブリーに接合する高温遮断素子接合ステップを含んでなる。
【００２２】
前記バッテリーパックの製造方法は、前記放熱部材取付けステップ前に、バッテリーセルケースの保護素子アセンブリー収容部に前記保護素子アセンブリーを搭載する保護素子アセンブリー搭載ステップを更に含んでなる。
【００２３】
前記放熱部材取付けステップにおいては、前記保護素子アセンブリーと高温遮断素子とが接合された個所に放熱部材を更に取り付ける。
【００２４】
前記バッテリーパックの製造方法は、前記放熱部材取付けステップ後に、バッテリーセルケースの負極端子又は正極端子と前記保護素子アセンブリーの連結部材との間の高さ差が減るように連結部材を折り曲げる連結部材折曲げステップを更に含んでなる。
【発明の効果】
【００２５】
本発明の実施形態に係るバッテリーパック及びこの製造方法は、ＴＣＯアセンブリー内のＴＣＯ接合個所に放熱部材を取り付けて、ＴＣＯアセンブリーの接合による発熱が低減できるようにする。
【図面の簡単な説明】
【００２６】
【図１】本発明の実施形態に係る正極リード部に保護素子アセンブリーが接合されたバッテリーパックの構造図。
【図２】本発明の実施形態に係るバッテリーパック内のバッテリーセル及びバッテリーセルケースの斜視図。
【図３】本発明の実施形態に係る正極リード部に保護素子アセンブリーが接合されたバッテリーパック内の保護素子アセンブリーの斜視図。
【図４】本発明の実施形態に係る放電時のバッテリーパックの温度変化の例示図。
【図５】本発明の他の実施形態に係るバッテリーパックの構造図。
【図６】本発明の実施形態に係るバッテリーパックの製造方法の模式図。
【発明を実施するための形態】
【００２７】
以下、添付図面に記載の内容に基づいて、本発明の実施形態を詳述する。但し、本発明が実施形態により制限されたり限定されたりすることはない。単にこれらの実施形態は本発明の開示を完全たるものにし、通常の知識を有する者に発明の範囲を完全に知らせるために提供されるものである。
【００２８】
「第１の」、「第２の」など序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しないつつも、第１の構成要素は第２の構成要素と命名されてもよく、同様に、第２の構成要素もまた第１の構成要素と命名されてもよい。本出願において用いた用語は、単に特定の実施形態を説明するために用いられたものであり、本発明を限定しようとする意図はない。単数の表現は、文脈からみて明らかに他の意味を有さない限り、複数の言い回しを含む。
【００２９】
本発明において用いられる用語としては、本発明における機能を考慮したうえで、できる限り現在汎用されている通常の用語を選択したが、これは、当分野に携わっている技術者の意図又は判例、新たな技術の出現などに応じて異なる。なお、特定の場合、出願人が任意に選定した用語もあり、この場合、対応する発明の説明の部分において詳しくその意味を記載する。したがって、本発明において用いられる用語は、単なる用語の名称ではなく、その用語が有する意味と本発明の全般に亘たっての内容に基づいて定義されるべきである。
【００３０】
＜実施形態１＞
次いで、本発明の実施形態に係るバッテリーパックについて説明する。
【００３１】
本発明の実施形態に係るバッテリーパックは、高温遮断素子が接合された保護素子アセンブリーの接合個所に放熱部材を取り付けて、放電時にバッテリーパックの発熱が低減できるようにする。
【００３２】
図１は、本発明の実施形態に係る正極リード部に保護素子アセンブリーが接合されたバッテリーパックの構造図である。
【００３３】
図１を参照すると、本発明の実施形態に係るバッテリーパック１００は、バッテリーセル１１１、内部に前記バッテリーセル１１１を搭載し、上端に保護素子アセンブリー収容部１１２を有するバッテリーセルケース１１０及びバッテリーセルケースの保護素子アセンブリー収容部１１２に搭載され、高温遮断素子が接合された連結部材を有する保護素子アセンブリー１２０を備えてなる。
【００３４】
また、前記保護素子アセンブリー１２０は、前記高温遮断素子が連結部材に接合された接合個所に放熱部材が取り付けられて、放電時に接合部上から発せられる熱を低減させる。
【００３５】
更に、以下、前記バッテリーパック１００の各構成要素について、図２に基づいて詳しく説明する。
【００３６】
図２は、本発明の実施形態に係るバッテリーパック内のバッテリーセル及びバッテリーセルケースの斜視図である。
【００３７】
図２を参照すると、前記バッテリーセル１１１は、一般に、リチウム系二次電池を用いるため、多数の正極電極（アルミニウム箔）と負極電極（銅箔）がセパレーターを間に挟んで積層される。
【００３８】
次いで、前記正極電極には正極タブが、且つ、負極電極には負極タブが溶接された後、アルミニウムパウチで包んで封止した形状に形成される。
【００３９】
また、前記バッテリーセルを包むアルミニウムパウチは、軟性が高く、しかも、薄いアルミニウム金属層を基に製造されるため、更にバッテリーセルケース１１０を装着して、バッテリーセルの形状を保ちながら外部の衝撃から内部が保護できるようにする。
【００４０】
更にまた、前記バッテリーセルケース１１０は、前記保護素子アセンブリー１２０との結合のための保護素子アセンブリー収容部１１２及びバッテリーパック１１１のタブと電気的に連結されるケースリード部１１３を備える構成要素であって、それぞれの構成要素は、バッテリーセルケースの上端に形成される。
【００４１】
これらに加えて、前記保護素子アセンブリー収容部１１２は、前記保護素子アセンブリー１２０が結合できるようにリードの形成個所を除く所定の範囲に形成されて、その上に接着剤を塗布するか、あるいは、両面テープを貼着する。
【００４２】
また、前記バッテリーパック１１１は、前記保護素子アセンブリー収容部１１２と重なり合わない領域に設けられた前記バッテリーセルケース１１０内のバッテリーパック収容領域に収容される。
【００４３】
更に、前記バッテリーセルケースのケースリード部１１３は、前記バッテリーセル１１１のタブと電気的に連結される構成要素であって、ケースリード部１１３からバッテリーセルケース１１０の内部まで延びた構成要素とバッテリーセル１１１のタブとを溶接させて、バッテリーセルとケースとが電気的に連結できるようにする。
【００４４】
前記保護素子アセンブリー１２０は、連結部材に高温遮断素子が接合された構成要素であって、図３に基づいて、これについて更に詳しく説明する。
【００４５】
図３は、本発明の実施形態に係る正極リード部に保護素子アセンブリーが接合されたバッテリーパック内の保護素子アセンブリーの斜視図である。
【００４６】
図３を参照すると、前記保護素子アセンブリー１２０は、両側に接合のための金属薄板が形成された高温遮断素子１２１、前記バッテリーセルケースのケースリード部１１３の正極リード部又は負極リード部と接合される第１の接合部１２２＿１、前記高温遮断素子の一方の側と接合される第２の接合部１２２＿２及び高温遮断素子の他方の側と接合される第３の接合部１２２＿３を有する板状の伝導性連結部材１２２及び前記連結部材の第１の接合部１２２＿１、第２の接合部１２２＿２及び第３の接合部１２２＿３の上端の表面に形成される放熱部材１２３を備えてなる。
【００４７】
また、前記バッテリーセルケース１１０の負極リード部又は正極リード部との段差を減らすために曲設された段付き部１２４を更に備えてなる。
【００４８】
更に、前記保護素子アセンブリー１２０は、保護回路モジュール（Ｐｒｏｔｅｃｔｉｏｎ  Ｃｉｒｃｕｉｔ  Ｍｏｄｕｌｅ：ＰＣＭ）と連結されて、バッテリーの過熱時に適正な温度が感知されれば、ＰＣＭに信号を送出してバッテリーの保護回路を駆動することにより、バッテリーの過熱による安全事故を防ぐ。
【００４９】
ここで、接合は、例えば、スポット溶接（ｓｐｏｔ  ｗｅｌｄｉｎｇ）、レーザー溶接（ｌａｓｅｒ  ｗｅｌｄｉｎｇ）又は超音波溶接（ｕｌｔｒａｓｏｎｉｃ  ｗｅｌｄｉｎｇ）であってもよい。
【００５０】
更にまた、前記高温遮断素子１２１は、接合のために両側の端子部に薄肉の一対の導電薄板状のニッケル材質の金属プレートが溶接加工により接続される構成に形成される。
【００５１】
これらに加えて、前記連結部材１２２は、垂直に折り曲げられた平ら状の伝導性を帯び、前記バッテリーセルケースのケースリード部１１３の正極リード部又は負極リード部と接合される第１の接合部１２２＿１、前記高温遮断素子の一方の側と接合される第２の接合部１２２＿２及び高温遮断素子の他方の側と接合される第３の接合部１２２＿３を備えてなる。
【００５２】
また、前記連結部材１２２は、継ぎ目のない単一の「┐」字状の構造に形成してもよく、２枚の板を貼り合わせて形成してもよいが、保護回路モジュールが形成される位置に応じて、形状及び構造が変更可能である。
【００５３】
更に、前記連結部材１２２は、前記ケースリード部１１３における正極リード部又は負極リード部に代えて連結部材リード部を形成する。
【００５４】
更にまた、前記連結部材１２２は、保護回路モジュールと連結されることにより、前記正極リード部又は負極リード部と同じ金属により形成してもよく、あるいは、他の伝導性金属を用いて形成してもよい。
【００５５】
これらに加えて、前記ケースリード部１１３と前記保護素子アセンブリー１２０とが接合される第１の接合部１２２＿１の上端の表面には、前記放熱部材１２３を取り付けて接合による熱を低減させる。
【００５６】
放電時の発熱を低減させる場合には、正極リード部に前記保護素子アセンブリー１２０が接合されていることにより、正極リード部と保護素子アセンブリー１２０とが接合される個所に前記放熱部材１２３を取り付ける。
【００５７】
また、充電時の発熱を低減させる場合には、負極リード部に保護素子アセンブリー１２０が接合されていることにより、負極リード部と保護素子アセンブリー１２０とが接合される個所に放熱部材１２３を取り付ける。
【００５８】
更に、放熱部材の取付けの際に一度に取付けできるように、第２の接合部１２２＿２は、第１の接合部１２２＿１の近くに位置し、第３の接合部１２２＿３は、垂直に折り曲げられる個所に位置して、全体的な保護素子アセンブリー１２０のコンパクト化が図れるようにする。
【００５９】
ここで、放熱部材１２３は、グラファイトシート（Ｇｒａｐｈｉｔｅ  Ｓｈｅｅｔ）を用いて、絶縁の効果だけではなく、放熱の効果をも奏されるようにする。
【００６０】
更にまた、放熱部材１２３は、その他の素材を用いて形成してもよく、接合個所に塗布するペースト及び貼着するテープの形状に倣って形成してもよい。
【００６１】
これらに加えて、前記放熱部材１２３が形成される大きさは、接合個所にのみ形成されるわけではなく、保護素子アセンブリー１２０の全体にわたって形成されてもよく、接合される局所部位にのみ形成されてもよい。
【００６２】
また、前記放熱部材１２３は、前記保護素子アセンブリー収容部１１２にも取り付けられて、従来の絶縁テープに代えて、絶縁の機能だけではなく、放熱の機能をも行えるようにする。
【００６３】
一方、前記ケースリード部１１３と結合された保護素子アセンブリー１２０は、前記保護素子アセンブリー収容部１１２にベンディング（ｂｅｎｄｉｎｇ）されて搭載される。
【００６４】
これにより、前記段付き部１２４は、前記連結部材１２２の連結部材リード部と保護回路モジュールとの連結に際して、保護素子アセンブリー１２０が連結されていない他のケースリード部１１３との高さ差が生じる結果、連結に問題が生じて、これを解消すべく形成される。
【００６５】
更に、このようなバッテリーパックの構成により発熱が低減される結果については、図４に基づいて詳しく説明する。
【００６６】
図４は、本発明の実施形態に係る放電時のバッテリーパックの温度変化の例示図である。
【００６７】
図４を参照すると、同じ温度下で、同じ電流を流し、且つ、同じ値の電圧を加えたとき、図４の（ａ）は、通常の絶縁テープの貼着時における放電の遂行温度である。これより、放電時にバッテリーの全体が４７℃を超える高温の状態に保たれるということが分かる。
【００６８】
また、図４の（ｂ）は、グラファイトテープの貼着時における放電の遂行温度である。これより、図４の（ａ）よりも略１０℃近く低い温度に保たれるということが分かる。
【００６９】
更に、図４の（ｃ）は、増えた範囲のグラファイトテープを貼着した場合、放電を行ったバッテリーパックの温度である。これより、図４の（ｂ）よりも２℃ほど発熱が低減されるということが分かる。
【００７０】
ここで、前記図４の（ａ）、（ｂ）、（ｃ）の場合、部屋の温度が２２．４℃であり、放電電流が４．０Ａであり、且つ、電圧が３．０Ｖである条件下で実験が行われた。
【００７１】
更にまた、放熱部材の取付けは、前記ノート型パソコンタイプのパウチセルの構造の他に、別の方式により適用可能であるが、これについては、図５に基づいて詳しく説明する。
【００７２】
図５は、本発明の他の実施形態に係るバッテリーパックの構造図である。
【００７３】
図５を参照すると、５の（ａ）の角型パウチセルは、金属缶状に形成されたバッテリーパックの上端に高温遮断素子及び保護回路付きＰＣＢをこの順に積層して上端キャップを覆い被せて完成させる仕組みとなっている。
【００７４】
このような仕組みの角型パウチセルもまた、前記ノート型パソコンタイプのパウチセルと同様に、高温遮断素子を備えていて、バッテリーパックと高温遮断素子との接合個所及びＰＣＢリード部と高温遮断素子との接合個所に放熱部材を取り付けて、放電時に発生する熱が低減できるようにする。ここで、説明のしやすさのために、放熱部材が一部にのみ取り付けられる場合を例にとって説明したが、前記高温遮断素子の両端に放熱部材を取り付けて放電時の発熱を低減させてもよい。
【００７５】
また、図５の（ｂ）の自動車用のパウチセルは、本発明と略同様であるが、電極端子が上端及び下端に配備されたバッテリーケース内に形成されて、複数のバッテリーセルをバスバー（ＢＵＳバー）で電気的に連結してバッテリーパックを構成する。
【００７６】
ここで、一つのバッテリーセルの電極端子は、他のバッテリーセルの電極端子と接合されて一つのバスバーと連結される構成要素であって、このようにして接合された個所からもまた、本発明の実施形態と同様に、放電時に熱が発せられる。
【００７７】
したがって、図５の（ｂ）のように、接合個所に放熱部材を取り付けて発熱を低減させる。
【００７８】
また、説明のしやすさのために、放熱部材が一部にのみ取り付けられる場合を例にとって説明したが、向かい側の接合個所にも放熱部材を取り付けて早い伝熱が行われるようにする。
【００７９】
＜実施形態２＞
次いで、本発明の実施形態に係るバッテリーパックの製造方法について説明する。
【００８０】
本発明の実施形態に係るバッテリーパックの製造方法は、バッテリーセル内にバッテリーセルを搭載したバッテリーセルアセンブリーを生成し、バッテリーセルケースのリード部に保護素子アセンブリーを接合して、接合された個所に放熱部材を取り付けることにより、放電時にバッテリーパックの発熱温度を下げることができる。
【００８１】
図６は、本発明の実施形態に係るバッテリーパックの製造方法の模式図である。
【００８２】
図６を参照すると、本発明の実施形態に係るバッテリーパックの製造方法は、まず、バッテリーセルケースの内側にバッテリーセルを搭載して、バッテリーセルアセンブリーを生成する（バッテリーセルアセンブリー生成ステップ：Ｓ７１０）。
【００８３】
次いで、高温遮断素子を備える保護素子アセンブリーをバッテリーセルケースの正極リード部又は負極リード部に電気的に連結し（リード部連結ステップ：Ｓ７２０）、正極リード部又は負極リード部と保護素子アセンブリーとが連結された個所に放熱部材を取り付ける（放熱部材取付けステップ：Ｓ７３０）。
【００８４】
また、以下、前記バッテリーパックの製造方法の各ステップについて更に詳しく説明する。
【００８５】
前記バッテリーセルアセンブリー生成ステップ（Ｓ７１０）は、まず、封止されたパウチ型のバッテリーセルを生成してケースに嵌合するステップであって、リチウムイオン電池だけではなく、リチウムポリマー電池、ニッケルカドミニウム電池、ニッケル水素電池、ニッケル亜鉛電池などの種々のパウチ型バッテリーセルを生成することができる。
【００８６】
一方、リチウムイオン電池の生成過程を例に取ると、まず、前記バッテリーセルは、複数の正極電極（アルミニウム箔）と負極電極（銅箔）とをセパレーターを間に挟んで積層する。
【００８７】
次いで、正極電極に正極タブを、且つ、負極電極に負極タブを溶接した後、アルミニウムパウチで包んで封止する。
【００８８】
より具体的に、バッテリーセルの製造工程は、電極、組立、活性化など大きく３つの工程に分けられ、電極工程においては、正極と負極を作製するが、材料を適宜な割合で混ぜ合わせる（Ｍｉｘｉｎｇ）。
【００８９】
次いで、正極はアルミニウムで、且つ、負極は銅箔（Ｃｏｐｐｅｒ  ｆｏｉｌ）でコーティング（ｃｏａｔｉｎｇ）し、ロールプレス（Ｒｏｌｌ  Ｐｒｅｓｓ）を用いて一定の厚さに圧着して平らにした後、電極のサイズに合わせて連続切断（スリット）するスリッティング（ｓｌｉｔｔｉｎｇ）工程を行う。
【００９０】
また、組立工程においては、電極から不要な部分を取り除くノッチング（Ｎｏｔｃｈｉｎｇ）を経て正極材、セパレーター、負極材を交互に幾層にも積み重ねた後、これを電池の容量に合わせて多数回にわたって折り畳むスタックアンドフォールディング（ｓｔａｃｋ  ＆  ｆｏｌｄｉｎｇ）過程、又は電極とセパレーターを重ね合わせ、くるくると巻くワインデング（ｗｉｎｄｉｎｇ）過程を行う。次いで、アルミニウムフィルム梱包材で包んだ後、電解質を投入し、真空状態で封止する。
【００９１】
最後に、活性化（ｆｏｒｍａｔｉｏｎ）工程においては、組み立てられたバッテリーパックの充／放電を繰り返し行いながらバッテリーパックを活性化させ、活性化の際にバッテリーパックに生じたガスを排気する脱ガス（ｄｅｇａｓｓｉｎｇ）過程を行う。
【００９２】
また、前記バッテリーセルを生成した後、バッテリーセル収容部、保護素子アセンブリー収容部及びケースリード部を有するバッテリーセルケースのバッテリーセル収容部に前記バッテリーセル生成ステップ（Ｓ７１０）において生成されたバッテリーセルを搭載し、搭載されたバッテリーセルのタブとバッテリーセルケースのケースリード部とを電気的に結合するバッテリーセル結合ステップを更に行う。
【００９３】
これは、バッテリーセルケースは単にアルミニウムフィルム梱包材で包んだバッテリーセルの形状を保ちながら、外部の衝撃から内部を保護するので、バッテリーパックにセルケースを装着するステップである。
【００９４】
したがって、バッテリーセルケースの下部のバッテリーセル収容部にバッテリーセルを搭載し、バッテリーセルからはみ出たタブをバッテリーセルケースにあるケースリード部に溶接などで連結した後、バッテリーセルケースの上部を覆って完成する。
【００９５】
更に、前記リード部連結ステップ（Ｓ７２０）は、高温遮断素子を備える保護素子アセンブリーを前記アセンブリー生成ステップ（Ｓ７１０）において生成されたバッテリーセルケースの正極リード部又は負極リード部に電気的に連結するステップであって、前記バッテリーセルケースからはみ出たリードに保護素子アセンブリーを接合して結合する。
【００９６】
更にまた、前記リード部連結ステップ（Ｓ７２０）前に、前記高温遮断素子を前記保護素子アセンブリーに接合する高温遮断素子接合ステップを行って、バッテリーパックの製作工程の簡素化が図れるようにする。
【００９７】
これらに加えて、前記放熱部材取付けステップ（Ｓ７３０）前に、バッテリーセルケースの保護素子アセンブリー収容部に前記保護素子アセンブリーを搭載する保護素子アセンブリー搭載ステップを更に含む。
【００９８】
これは、保護素子アセンブリー収容部を介して保護素子アセンブリー及びバッテリーセルケースのリード部が外部から保護できるようにするステップである。
【００９９】
これらに加えて、前記放熱部材取付けステップ（Ｓ７３０）は、前記リード部連結ステップにおいて正極リード部又は負極リード部と保護素子アセンブリーとが連結された個所に放熱部材を取り付けるステップであって、前記保護素子アセンブリーと高温遮断素子とが接合された個所にも放熱部材を更に取り付けて、放電時に接合個所から発せられる熱が低減できるようにする。
【０１００】
また、前記放熱部材取付けステップ後に、連結部材を折り曲げる連結部材折り曲げステップを更に行って、バッテリーパックの製作工程が速やかに行えるようにする。
【０１０１】
これは、保護回路モジュールと結合する前にバッテリーセルケースの負極端子又は正極端子と前記保護素子アセンブリーの連結部材との間の高さ差が減って平坦度を確保できるようにするステップである。
【符号の説明】
【０１０２】
１００：バッテリーパック
１１０：バッテリーセルケース
１１１：バッテリーセル
１１２：保護素子アセンブリー収容部
１１３：ケースリード部
１２０：保護素子アセンブリー
１２１：高温遮断素子
１２２：連結部材
１２２＿１：第１の接合部
１２２＿２：第２の接合部
１２２＿３：第３の接合部
１２３：放熱部材
１２４：段付き部
【図１】
2019537830.tif 000003
【図２】
2019537830.tif 000004
【図３】
2019537830.tif 000005
【図４（ａ）】
2019537830.tif 000006
【図４（ｂ）】
2019537830.tif 000007
【図４（ｃ）】
2019537830.tif 000008
【図５】
2019537830.tif 000009
【図６】
2019537830.tif 000010
【国際調査報告】
2019537830.tif 000011
2019537830.tif 000012
2019537830.tif 000013
2019537830.tif 000014